(57)【要約】【課題】手動焦点調整のため、オプチカルビュー画像からエレクトリカルビュー画像に切り替えた後の、復帰タイミングをインテリジェンスに判断し、適正にオプチカルビュー画像に戻す。【解決手段】ＭＦモードへの移行の指示があると、液晶シャッター４６が駆動して、ＯＶＦ画像の下半分が遮光される。その後、ＥＶＦＬＣＤ４４に、前記矩形枠１９で示す焦点距離調整領域の拡大画像を表示する。フォーカスリング２７によって焦点距離調整を行っているときのＥＶＦＬＣＤ４４の表示画像では、ＭＦモード移行直後は、若干ピンボケとなっており、これをフォーカスリング２７を操作することで焦点距離を調整する。このような操作がなされている途中で、復帰条件が成立すると、ＥＶＦＬＣＤ４４の画像がオフとなり、かつ液晶シャッター４６が全開となって、元のＯＶＦ画像に戻る。【選択図】図７
2012063722.tif 000002
【特許請求の範囲】
【請求項１】
少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、
前記ファインダー部への光路を選択する選択手段と、
前記接眼部から見える画像を見ながら、撮像指示操作に基づいて撮像素子で撮像し、当該撮像した画像をデジタル画像データとして記録する撮像モード、並びに前記撮像モードによって記録した画像を再生表示する再生モードを選択的に切り替えるモード切替手段と、
前記撮影モード中における撮影に関する調整を、自動又は手動で実行する調整実行手段と、
前記調整実行手段の実行開始に同期して実行され、オプチカルビュー画像が表示されているファインダー部の表示形態を、エレクトリカルビュー画像に切り替えるエレクトリカルビュー画像表示制御手段と、
予め定めた復帰条件が成立した場合に、前記ファインダー部の表示形態を前記エレクトリカルビュー画像表示制御手段によるエレクトリカルビュー画像の表示以前の状態に復帰させる復帰制御手段と、
を有する撮像装置。
【請求項２】
少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、
前記ファインダー部への光路を選択する選択手段と、
前記接眼部から見える画像を見ながら、撮像指示操作に基づいて撮像素子で撮像し、当該撮像した画像をデジタル画像データとして記録する撮像モード、並びに前記撮像モードによって記録した画像を再生表示する再生モードを選択的に切り替えるモード切替手段と、
撮像画角内の予め定められた焦点距離調整領域を対象として、焦点距離調整操作部を操作することで、前記焦点距離を調整する焦点距離調整実行手段と、
前記焦点距離調整実行手段の実行開始に同期して実行され、オプチカルビュー画像が表示されているファインダー部の表示形態を、エレクトリカルビュー画像に切り替え、かつ、前記焦点距離調整領域を表示するエレクトリカルビュー画像表示制御手段と、
予め定めた復帰条件が成立した場合に、前記ファインダー部の表示形態を前記エレクトリカルビュー画像表示制御手段によるエレクトリカルビュー画像の表示以前の状態に復帰させる復帰制御手段と、
を有する撮像装置。
【請求項３】
前記オプチカルビュー画像の光路を遮光する遮光手段をさらに有し、
前記エレクトリカルビュー画像表示制御手段による前記エレクトリカルビュー画像の表示領域を、前記遮光手段で遮光した一部の領域とすることを特徴とする請求項１又は請求項２記載の撮像装置。
【請求項４】
前記エレクトリカルビュー画像表示制御手段により表示される前記エレクトリカルビュー画像が、前記焦点距離調整領域の拡大画像であることを特徴とする請求項２又は請求項３記載の撮像装置。
【請求項５】
前記復帰制御手段により復帰させるための復帰条件の判定要素として、複数の復帰条件要素としての項目が設定され、各項目毎に、それぞれの判断基準に基づいて成否を判断し、
それぞれの項目の判断基準に対する成否を、独立した復帰条件の成立とすることを特徴とする請求項１〜請求項４の何れか１項記載の撮像装置。
【請求項６】
前記復帰制御手段により復帰させるための復帰条件の判定要素として、複数の復帰条件要素としての項目が設定され、各項目毎に、それぞれの判断基準に基づいて成否を判断し、
それぞれの項目の判断基準に対する成否が、少なくとも２以上成立した場合に、前記復帰条件の成立とすることを特徴とする請求項１〜請求項４の何れか１項記載の撮像装置。
【請求項７】
前記復帰制御手段により復帰させるための復帰条件の判定要素として、複数の復帰条件要素としての項目が設定され、各項目毎に、それぞれの判断基準に基づいて成否を判断し、
それぞれの項目に優劣を付加し、相対的に優先度の高い項目は判断基準に対する成否を独立した復帰条件の成立とし、相対的に優先度の低い項目は少なくとも２以上成立した場合に、前記復帰条件の成立とすることを特徴とする請求項１〜請求項４の何れか１項記載の撮像装置。
【請求項８】
前記復帰条件を成立させるための判定要素が、ＭＦモード開始時からスタートするタイマが所定時間経過したとき、焦点距離操作部の操作が所定時間なかったとき、撮像素子に入力する明るさが所定以上変化したとき、ユーザーが前記ＭＦモード以外の選択操作を行ったとき、ユーザーが前記接眼部を覗きこまなくなったとき、前記接眼部を覗くユーザーの目がまばたきをしたとき、撮像に関する操作があったとき、の少なくとも２以上を含むことを特徴とする請求項２〜請求項７の何れか１項記載の撮像装置。
【請求項９】
少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、前記ファインダー部への光路を選択する選択手段と、前記接眼部から見える画像を見ながら、撮像指示操作に基づいて撮像素子で撮像し、当該撮像した画像をデジタル画像データとして記録する撮像モード、並びに前記撮像モードによって記録した画像を再生表示する再生モードを選択的に切り替えるモード切替手段と、前記撮影モード中における撮影に関する調整を自動、又は手動で実行する調整実行手段と、を備えた撮像装置の表示制御方法であって、
調整実行開始に同期して実行され、オプチカルビュー画像が表示されているファインダー部の表示形態を、エレクトリカルビュー画像に切り替えると共に、
予め定めた復帰条件が成立した場合に、前記ファインダー部の表示形態を前記エレクトリカルビュー画像表示制御手段によるエレクトリカルビュー画像の表示以前の状態に復帰させる、ことを特徴とする撮像装置の表示制御方法。
【発明の詳細な説明】
【技術分野】
【０００１】
本発明は、少なくとも撮像範囲を特定して表示するファインダーであって、光学的に入力されるオプチカルビュー画像を表示するオプチカルビューファインダー（ＯＶＦ）、並びに前記撮像素子によって撮像したエレクトリカルビュー画像を再生して表示するエレクトリカルビューファインダー（ＥＶＦ）モードを備えた撮像装置、並びに表示制御方法に関するものである。
【背景技術】
【０００２】
従来より、光学式（或いは枠式）ビューファインダー（ＯＶＦ）に入射した光像と、電子ビューファインダー（ＥＶＦ）によって表示された表示画像とをそれぞれハーフミラーを介して撮影者の肉眼に導く光学系を備えたファインダーが提案されている（特許文献１参照）。
【０００３】
この特許文献１では、ＯＶＦ及びＥＶＦの長所をそれぞれ生かすことができ、鮮明なファインダー像を得ると共に撮影範囲等の情報を知ることができる。特に、ハイブリッドモードでは、ＯＶＦ及びＥＶＦが併用されることが記載されている。
【０００４】
上記特許文献１において、ＯＶＦ及びＥＶＦを兼用するハイブリッドモードは、予め定められた情報を同時に表示する、所謂出力デバイスとしての機能に特化されたものである。
【０００５】
また、特許文献２には、撮影レンズを介して入射される被写体からの入射光の光路を分割し、一方をファインダーで観察するための接眼レンズへ導き、他方をＣＣＤ等の撮像素子へ導く構成において、分割されて接眼レンズへと至る光路上に液晶シャッターで構成されたアイピースシャッタ（焦点板を兼用）を配置することで、選択的に接眼レンズへ画像を導くと共に、液晶シャッターを例えば情報表示デバイスとして利用して、画像と共に接眼レンズへ導くことが記載されている。
【０００６】
特許文献２は、接眼レンズを覗くと、被写体画像と情報とを同時に見ることができるものの、液晶シャッターがＥＶＦとして機能することは記載されていない。
【０００７】
また、参考として、特許文献３には、ユーザーの操作に応じて、ＯＶＦからＥＶＦへ画像表示を切り替え、記録指示又は所定操作で復帰させることが記載されている。
【０００８】
また、特許文献４には、再生モードから撮影（撮像）モードへ切り替える際に、前の撮影モード時のファインダー状態に戻すことが記載されている。
【先行技術文献】
【特許文献】
【０００９】
【特許文献１】特開平３−２９２０６７号公報
【特許文献２】特開２００２−２５８３５２号公報
【特許文献３】特開１１−２２０６３９号公報
【特許文献４】特許第４３５７２１２号公報
【発明の概要】
【発明が解決しようとする課題】
【００１０】
しかしながら、上記背景技術（特に、特許文献１、２）では、現状から表示状態をＥＶＦ又はＯＶＦへ移行する時期等についての言及はない。また、特許文献３ではユーザーが所望するタイミングではない場合があり、ユーザーは表示の切り替えに違和感を持つ場合がある。
【００１１】
また、特許文献４では、特に元に復帰する時期が、再生モードと撮影モードとの間であるため、ユーザーに違和感を与えることがない明確な切り替え時期ではあるが、例えば、撮影モード中における表示の切り替えタイミングについては言及されておらず、撮影モード中に画像の切り替えが必要なとき、例えば、ＯＶＦ画像表示で、マニュアルフォーカス（ＭＦ）が指定されたとき、焦点距離の調整状態は、ＥＶＦでしか見ることができないため、ＥＶＦに切り替える場合がある。
【００１２】
ところが、ＭＦ実行時の切り替えは、ＭＦ実行時期にＯＶＦからＥＶＦへ切り替えればよいが、復帰時期の自動化が確立されていない。このため、前記特許文献３に記載のように、専用の復帰操作が必要となったり、特許文献４のように極めて明確なきっかけ（再生モード←→撮影モード）が必要である。
【００１３】
本発明は上記事実を考慮し、手動焦点調整のため、オプチカルビュー画像からエレクトリカルビュー画像に切り替えた後の、復帰タイミングをインテリジェンスに判断し、適正にオプチカルビュー画像に戻すことができる撮像装置、表示制御方法を得ることが目的である。
【課題を解決するための手段】
【００１４】
本発明は、少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、前記ファインダー部への光路を選択する選択手段と、前記接眼部から見える画像を見ながら、撮像指示操作に基づいて撮像素子で撮像し、当該撮像した画像をデジタル画像データとして記録する撮像モード、並びに前記撮像モードによって記録した画像を再生表示する再生モードを選択的に切り替えるモード切替手段と、前記撮影モード中における撮影に関する調整を、自動又は手動で実行する調整実行手段と、前記調整実行手段の実行開始に同期して実行され、オプチカルビュー画像が表示されているファインダー部の表示形態を、エレクトリカルビュー画像に切り替えるエレクトリカルビュー画像表示制御手段と、予め定めた復帰条件が成立した場合に、前記ファインダー部の表示形態を前記エレクトリカルビュー画像表示制御手段によるエレクトリカルビュー画像の表示以前の状態に復帰させる復帰制御手段と、を有している。
【００１５】
また、本発明は、少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、前記ファインダー部への光路を選択する選択手段と、前記接眼部から見える画像を見ながら、撮像指示操作に基づいて撮像素子で撮像し、当該撮像した画像をデジタル画像データとして記録する撮像モード、並びに前記撮像モードによって記録した画像を再生表示する再生モードを選択的に切り替えるモード切替手段と、撮像画角内の予め定められた焦点距離調整領域を対象として、焦点距離調整操作部を操作することで、前記焦点距離を調整する焦点距離調整実行手段と、前記焦点距離調整実行手段の実行開始に同期して実行され、オプチカルビュー画像が表示されているファインダー部の表示形態を、エレクトリカルビュー画像に切り替え、かつ、前記焦点距離調整領域を表示するエレクトリカルビュー画像表示制御手段と、予め定めた復帰条件が成立した場合に、前記ファインダー部の表示形態を前記エレクトリカルビュー画像表示制御手段によるエレクトリカルビュー画像の表示以前の状態に復帰させる復帰制御手段と、を有している。
【００１６】
本発明において、前記オプチカルビュー画像の光路を遮光する遮光手段をさらに有し、前記エレクトリカルビュー画像表示制御手段による前記エレクトリカルビュー画像の表示領域を、前記遮光手段で遮光した一部の領域とすることを特徴としている。
【００１７】
また、本発明において、前記エレクトリカルビュー画像表示制御手段により表示される前記エレクトリカルビュー画像が、前記焦点距離調整領域の拡大画像であることを特徴としている。
【００１８】
さらに、本発明において、前記復帰制御手段により復帰させるための復帰条件の判定要素として、複数の復帰条件要素としての項目が設定され、各項目毎に、それぞれの判断基準に基づいて成否を判断し、それぞれの項目の判断基準に対する成否を、独立した復帰条件の成立とすることを特徴としている。
【００１９】
また、本発明において、前記復帰制御手段により復帰させるための復帰条件の判定要素として、複数の復帰条件要素としての項目が設定され、各項目毎に、それぞれの判断基準に基づいて成否を判断し、それぞれの項目の判断基準に対する成否が、少なくとも２以上成立した場合に、前記復帰条件の成立とすることを特徴としている。
【００２０】
さらに、本発明において、前記復帰制御手段により復帰させるための復帰条件の判定要素として、複数の復帰条件要素としての項目が設定され、各項目毎に、それぞれの判断基準に基づいて成否を判断し、それぞれの項目に優劣を付加し、相対的に優先度の高い項目は判断基準に対する成否を独立した復帰条件の成立とし、相対的に優先度の低い項目は少なくとも２以上成立した場合に、前記復帰条件の成立とすることを特徴としている。
【００２１】
また、本発明において、前記復帰条件を成立させるための判定要素が、ＭＦモード開始時からスタートするタイマが所定時間経過したとき、焦点距離操作部の操作が所定時間なかったとき、撮像素子に入力する明るさが所定以上変化したとき、ユーザーが前記ＭＦモード以外の選択操作を行ったとき、ユーザーが前記接眼部を覗きこまなくなったとき、前記接眼部を覗くユーザーの目がまばたきをしたとき、撮像に関する操作があったとき、の少なくとも２以上を含むことを特徴としている。
【００２２】
本発明は、少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、前記ファインダー部への光路を選択する選択手段と、前記接眼部から見える画像を見ながら、撮像指示操作に基づいて撮像素子で撮像し、当該撮像した画像をデジタル画像データとして記録する撮像モード、並びに前記撮像モードによって記録した画像を再生表示する再生モードを選択的に切り替えるモード切替手段と、前記撮影モード中における撮影に関する調整を自動、又は手動で実行する調整実行手段と、を備えた撮像装置の表示制御方法であって、調整実行開始に同期して実行され、オプチカルビュー画像が表示されているファインダー部の表示形態を、エレクトリカルビュー画像に切り替えると共に、予め定めた復帰条件が成立した場合に、前記ファインダー部の表示形態を前記エレクトリカルビュー画像表示制御手段によるエレクトリカルビュー画像の表示以前の状態に復帰させる、ことを特徴としている。
【００２３】
本発明によれば、焦点距離調整実行手段において、撮影モード中における撮影に関する調整を自動、又は手動で実行する場合に、ファインダー部の表示形態をオプチカルビュー画像からエレクトリカルビュー画像に切り替える（エレクトリカルビュー画像表示制御手段）。
【００２４】
一方、復帰制御手段では、予め定めた復帰条件が成立した場合に、前記ファインダー部の表示形態を前記エレクトリカルビュー画像表示制御手段によるエレクトリカルビュー画像の表示以前の状態に復帰させる。従来は、この復帰に関する事項が確立されておらず、ユーザーの手動に頼っていた。しかしながら、復帰条件を定め、当該復帰条件が成立することで自動で復帰させるようにしたため、ユーザーに違和感を与えることなく、通常の状態（オプチカルビュー画像の表示状態）とすることができる。
【００２５】
また、本発明によれば、焦点距離調整実行手段において、焦点距離調整操作部を操作して焦点距離を調整する場合に、ファインダー部の表示形態をオプチカルビュー画像からエレクトリカルビュー画像に切り替える（エレクトリカルビュー画像表示制御手段）。
【００２６】
このとき、エレクトリカルビュー画像表示制御手段では、エレクトリカルビュー画像で焦点距離調整領域を表示する。これにより、ユーザーは、焦点距離調整操作部の操作による焦点距離調整状態を把握することができる。
【００２７】
一方、復帰制御手段では、予め定めた復帰条件が成立した場合に、前記ファインダー部の表示形態を前記エレクトリカルビュー画像表示制御手段によるエレクトリカルビュー画像の表示以前の状態に復帰させる。従来は、この復帰に関する事項が確立されておらず、ユーザーの手動に頼っていた。しかしながら、復帰条件を定め、当該復帰条件が成立することで自動で復帰させるようにしたため、ユーザーに違和感を与えることなく、通常の状態（オプチカルビュー画像の表示状態）とすることができる。
【００２８】
また、オプチカルビュー画像の光路を遮光する遮光手段をさらに設け、エレクトリカルビュー画像表示制御手段によるエレクトリカルビュー画像の表示領域を、遮光手段で遮光した一部の領域としてもよい。
【００２９】
さらに、エレクトリカルビュー画像表示制御手段により表示されるエレクトリカルビュー画像を、焦点距離調整領域の拡大画像としてもよい。
【００３０】
本発明では、復帰制御手段により復帰させるための復帰条件の判定要素として、複数の復帰条件要素としての項目が設定され、各項目毎に、それぞれの判断基準に基づいて成否を判断する。
【００３１】
このとき、それぞれの項目の判断基準に対する成否を、独立した復帰条件の成立としてもよいし、それぞれの項目の判断基準に対する成否が、少なくとも２以上成立した場合に、復帰条件の成立としてもよいし、それぞれの項目に優劣を付加し、相対的に優先度の高い項目は判断基準に対する成否を独立した復帰条件の成立とし、相対的に優先度の低い項目は少なくとも２以上成立した場合に、復帰条件の成立としてもよい。
【００３２】
なお、復帰条件を成立させるための判定要素が、ＭＦモード開始時からスタートするタイマが所定時間経過したとき、焦点距離操作部の操作が所定時間なかったとき、撮像素子に入力する明るさが所定以上変化したとき、ユーザーが前記ＭＦモード以外の選択操作を行ったとき、ユーザーが前記接眼部を覗きこまなくなったとき、前記接眼部を覗くユーザーの目がまばたきをしたとき、撮像に関する操作があったとき、の少なくとも２以上を含むものとする。
【発明の効果】
【００３３】
以上説明した如く本発明では、手動焦点調整のため、オプチカルビュー画像からエレクトリカルビュー画像に切り替えた後の、復帰タイミングをインテリジェンスに判断し、適正にオプチカルビュー画像に戻すことができる。
【図面の簡単な説明】
【００３４】
【図１】（Ａ）は本実施の形態に係るデジタルカメラの正面図、（Ｂ）は背面図である。
【図２】本実施の形態に係るデジタルカメラの内部構成を示す概略ブロック図である。
【図３】本実施の形態に係るデジタルカメラにおける撮像制御系を主体として制御ブロック図である。
【図４】本実施の形態に係り、ＭＦモード時における主としてメインコントローラで実行される、ＥＦＶＬＣＤ４４の表示制御のための機能ブロック図である。
【図５】本実施の形態に係る、マニュアルフォーカスを指定したときに起動し、接眼部へ表示する対象を制御のための流れを示すフローチャートである。
【図６】図５のステップ１６０における条件判定処理制御サブルーチンを示すフロチャートである。
【図７】図５（図６）のフローチャートに基づく、ＥＶＦＬＣＤの表示制御を遷移を一例を示した流れ図である。
【発明を実施するための形態】
【００３５】
図１（Ａ）に示される如く、撮像装置としてのデジタルカメラ１０の正面には、被写体像を結像させるためのレンズ１２Ｌを備えた鏡筒１２が備えられており、上面には、撮像（撮影）を実行する際にユーザーによって押圧操作されるレリーズボタン（所謂シャッター）１４と、電源スイッチ１６と、が備えられている。
【００３６】
なお、本実施の形態に係るレリーズボタン１４は、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３７】
本実施の形態に係るデジタルカメラ１０では、レリーズボタン１４を前記半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き、前記全押し状態にすると撮影（撮像）が行われる。
【００３８】
一方、図１（Ｂ）に示される如く、デジタルカメラ１０の背面には、オプチカルビューファインダー（以下、［ＯＶＦ」という）と、エレクトリカルビューファインダー（以下、「ＥＶＦ」という）とが併用された接眼部１８が設けられている。ＥＶＦとＯＶＦについての詳細は後述する。なお、接眼部１８に対向するように、デジタルカメラ１０の正面（図１（Ａ）参照）には、対物レンズ２０が設けられている。
【００３９】
また、デジタルカメラ１０の背面には、撮影によって得られたデジタル画像データにより示される被写体像や各種メニュー画面、メッセージ等を表示するための背面ＬＣＤ２２と、撮影を行うモードである撮影モード及び撮影によって得られたデジタル画像データにより示される被写体像を背面ＬＣＤ２２に表示（再生）するモードである再生モードの何れかのモードに設定するために操作されるモード切替スイッチ２４と、背面ＬＣＤ２２の表示領域における上下左右の４方向の移動方向を示す４つの矢印キー及び当該４つの矢印キーの中央部に位置された決定キーの合計５つのキーを含んで構成された十字カーソルボタン２６と、が備えられている。なお、入力操作系は、前記モード切替スイッチ２４、十字カーソルボタン２６に限定されるものではなく、背面ＬＣＤ２２にタッチパネル２２ＴＰ（図２参照）機能を持たせるようにしてもよい。従って、必要に応じて全ての入力操作系を総称する場合、「操作部２８（図２参照）」という場合がある。
【００４０】
図２には、デジタルカメラ１０における内部の光路構成と、撮像画像の処理を行う制御のハード資源である制御ブロック図とが示されている。
【００４１】
前記鏡筒１２のレンズ１２Ｌから入射した光は、撮像素子（本実施の形態ではＣＣＤ３０であるが、ＣＭＯＳ等でもよい）で受光され、電気信号に変換されるようになっている。入射光に応じた電気信号は、メインコントローラ３２に入力され、各種処理が実行される。メインコントローラ３２には、鏡筒駆動ドライバ３４が接続されており、鏡筒１２を光軸方向に移動させ、撮影倍率や焦点距離を変更するようになっている。
【００４２】
また、メインコントローラ３２には、ＬＣＤＩ／Ｆ３６を介して、前記背面ＬＣＤ２２が接続されると共に、モード切替スイッチ２４や十字カーソルボタン２６を含む操作部２８が接続されている（背面ＬＣＤ２２がタッチパネル機能を備える場合は、このタッチパネル２２ＴＰも含むものとする）。
【００４３】
また、操作部２８は、図１では省略したが、フォーカスリング２７を備えており、マニュアルフォーカス（ＭＦ）モード時の焦点距離調整用の操作部として適用されるようになっている（詳細後述）。このフォーカスリング２７は、本実施の形態では、その回転方向や回転量を電気的に読み取って、鏡筒１２（レンズ１２Ｌ）を光軸方向に駆動させるようにしているが、メカニカルに直接鏡筒１２（レンズ１２２Ｌ）を駆動させる構造としてもよい。
【００４４】
さらに、メインコントローラ３２には、外部メモリＩ／Ｆ３８（リーダ／ライタ兼用）が接続され、この外部メモリＩ／Ｆ３８に装填されるメモリカード４０へ画像データを記録したり、メモリカード４０から画像データを取得する。
【００４５】
ここで、本実施の形態では、メインコントローラ３２に、ＥＶＦ／ＯＶＦの併用ファインダー（ハイブリッドファインダー）を実現するために、ＬＣＤＩ／Ｆ４２を介して表示部としてＥＶＦＬＣＤ４４が接続されると共に、遮光手段としての液晶シャッター４６が接続されている。液晶シャッター４６は、ＯＶＦ画像を接眼部１８へ案内するときは開放され、ＥＶＦ画像のみを接眼部１８へ案内するときに閉止される。
【００４６】
この液晶シャッター４６は、縦横に配列された画素単位で開閉可能であるが、所謂メカニカルなシャッターであってもよい。メカニカルなシャッターの場合は、接眼部１８からの見える画像は、四方の辺の一つから徐々に遮光膜が出没する構成となっている。
【００４７】
すなわち、図２に示される如く、デジタルカメラ１０の内部において、接眼部１８には、光学的に被写体画像（オプチカルビュー画像）を案内する光路４８と、表示部としてのＥＶＦＬＣＤ４４に表示された画像（エレクトリカルビュー画像）を案内する光路５０とが設けられ、双方の光路４８、５０は、前記接眼部１８の手前でハーフミラー５２によって一致される（同軸）ようになっている。このため、ユーザーが接眼部１８を覗くと、オプチカルビュー画像とエレクトリカルビュー画像の双方を見ることが可能となっている。なお、本実施の形態では、デフォルト設定として、ＥＶＦＬＣＤ４４の表示はオフとし、ＯＶＦ画像のみで撮影するようになっている。
【００４８】
また、本実施の形態に係るデジタルカメラ１０では、ＥＶＦＬＣＤ４４として発光ダイオード式バックライト（以下、「ＬＥＤ式バックライト」という。）を備えたＬＣＤが適用され、前記背面ＬＣＤ２２として光電管式バックライトを備えたＬＣＤが適用されているが、これに限定されるものではない。
【００４９】
図３には、本実施の形態に係るデジタルカメラ１０における、主として撮像処理制御系の構成を説明する。
【００５０】
デジタルカメラ１０は、前述のレンズ１２Ｌを含んで構成され、鏡筒駆動ドライバ３４によって光軸方向へ移動する鏡筒１２と、鏡筒１２の光軸後方に配設されたＣＣＤ３０と、相関二重サンプリング回路（以下、「ＣＤＳ」という。）を含んで構成されたアナログ信号処理部５４と、入力されたアナログ信号をデジタルデータに変換するアナログ／デジタル変換器（以下、「ＡＤＣ」という。）５６と、所定容量のラインバッファを内蔵し、かつ入力されたデジタル画像データを後述するメモリ５８の所定領域に直接記憶させる制御を行うと共に、デジタル画像データに対して各種の画像処理を行うデジタル信号処理部６０と、を含んで構成されている。
【００５１】
ここで、アナログ信号処理部５４のＣＤＳによる相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００５２】
一方、デジタルカメラ１０は、デジタル画像データにより示される画像やメニュー画面等を背面ＬＣＤ２２に表示させるための信号を生成して背面ＬＣＤ２２に供給するＬＣＤＩ／Ｆ６２と、デジタル画像データにより示される画像やメニュー画面等をＥＶＦＬＣＤ４４に表示させるための信号を生成してＥＶＦＬＣＤ４４に供給するＬＣＤＩ／Ｆ６４と、デジタルカメラ１０全体の動作を司るＣＰＵ（中央処理装置）６６と、主として撮影により得られたデジタル画像データを記憶するＶＲＡＭ（Ｖｉｄｅｏ  ＲＡＭ）により構成されたメモリ５８と、スマートメディア（Ｓｍａｒｔ  Ｍｅｄｉａ(登録商標)）により構成されたメモリカード４０をデジタルカメラ１０でアクセス可能とするための外部メモリＩ／Ｆ３８と、所定の圧縮形式でデジタル画像データに対して圧縮処理を施す一方、圧縮処理されたデジタル画像データに対して圧縮形式に応じた伸張処理を施す圧縮・伸張処理回路６８と、を含んで構成されている。
【００５３】
デジタル信号処理部６０、ＬＣＤＩ／Ｆ６２、６４、ＣＰＵ６６、外部メモリＩ／Ｆ３８、及び圧縮・伸張処理回路３４はシステムバス７０を介して相互に接続されている。従って、ＣＰＵ６６は、デジタル信号処理部６０及び圧縮・伸張処理回路６８の作動の制御、背面ＬＣＤ２２及びＥＶＦＬＣＤ４４に対する各種情報の表示、メモリ５８及びメモリカード４０へのアクセスを行うことができる。
【００５４】
一方、デジタルカメラ１０には、主としてＣＣＤ３０を駆動させるためのタイミング信号を生成してＣＣＤ３０に供給するタイミングジェネレータ７２が備えられており、ＣＣＤ３０の駆動はＣＰＵ６６によりタイミングジェネレータ６６を介して制御される。
【００５５】
ＣＰＵ６６は、ＣＣＤ３０による撮像によって得られた画像のコントラスト値が最大となるように合焦制御を行う（ＴＴＬ「Ｔｈｒｏｕｇｈ  Ｔｈｅ  Ｌｅｎｓ」方式）。
【００５６】
（マニュアルフォーカス時表示制御）
ここで、本実施の形態に係るデジタルカメラ１０においては、デフォルトがＯＶＦであり、撮影（撮像）時に接眼部１８を覗きながら、撮像画角を決める（構図を決めるとき）。このとき、撮像動作に先立って、被写体に対して、ユーザーの意志で、すなわち、手動で焦点距離を調整を実行する場合がある。
【００５７】
本実施の形態のデジタルカメラ１０は、通常設定として、ＡＦ（オートフォーカス）機能が働くが、ユーザーの指定によりＭＦ（マニュアルフォーカス）機能を設定することができる（以下、「ＭＦモード」という）。
【００５８】
ＭＦモードへの移行は、例えば、操作部２８の操作により指定され、フォーカスリング２７の機能がアクティブ（操作有効）となる。
【００５９】
フォーカスリング２７は、メインコントローラ３２に接続されており、このメインコントローラ３２において、焦点距離調整の操作部であり、ダイヤル式で回転方向が焦点深度の方向、回転量が焦点距離の調整量として、認識されるようになっている。
【００６０】
前記メインコントローラ３２では、当該認識された回転方向、回転量に基づいて、鏡筒駆動ドライバ３４を介して鏡筒１２を駆動し、レンズ１２Ｌを光軸方向に移動させることで、焦点距離を調整する。
【００６１】
ところで、ＭＦモードの場合、接眼部１８にＯＶＦ画像が表示されていると、フォーカスリング２７による焦点距離調整量が把握できない（画像に反映されない）。
【００６２】
そこで、本実施の形態では、ＭＦモードが指定された場合、ＯＶＦ画像の光路４８上に配置された液晶シャッター４６を駆動し、当該ＯＶＦ画像の光路４８の一部又は全部（本実施の形態では、一部）を遮光し、かつ、この遮光した領域に対応するＥＶＦＬＣＤ４４の表示領域に、ＣＣＤ３０で撮像した動画像（スルー画）を表示するようにした。なお、本実施の形態では、このスルー画は、予め登録された焦点距離調整領域を拡大した画像としている。
【００６３】
上記により、接眼部１８から画像を覗くと、一部がＯＶＦ画像、他の一部がＥＶＦ画像を見ることができる。なお、本実施の形態では、デジタルカメラ１０の天地方向が正立状態で、上半分がＯＶＦ画像であり、下半分がＥＶＦ画像である。
【００６４】
さらに、本実施の形態では、一部にＥＶＦ画像（スルー画）を表示し、マニュアルで焦点距離を調整をした後の復帰は、以下に挙げる表１の条件が成立（一部又は全部）することによって実行される。なお、表１の条件に限定されるものではない。
【００６５】
【表１】
2012063722.tif 000003
図４は、上記ＭＦモード時における主としてメインコントローラ３２で実行される、ＥＦＶＬＣＤ４４の表示制御のための機能ブロック図である。なお、この図４の各ブロックは、機能的に分類したものであり、ハード構成を限定するものではない。
【００６６】
操作部２８は、ＭＦ領域登録処理部１００、ＯＶＦ→ＥＶＦ表示切替指示部１０２、フォーカスリング操作量認識部１０４、復帰条件要素受付部１０６にそれぞれ接続されている。
【００６７】
操作部２８からＭＦ領域登録処理部１００へ、ＭＦ領域設定指示信号が送出されると、ＭＦ領域登録処理部１００では、撮像画角内の領域における、別処理で設定された焦点距離調整領域を読み出し、当該焦点距離調整領域の情報をＭＦ領域記憶部１０８へ登録する。
【００６８】
操作部２８による操作で、ＡＦモード又はＭＦモードへの切替操作があると、操作部２８からＯＶＦ→ＶＦ表示切替指示部１０２へＡＦ／ＭＦ切替指示信号が送出される。
ＯＶＦ→ＶＦ表示切替指示部１０２では、このＡＦ／ＭＦ切替指示信号を受けると、ＭＦ領域読出部１１０を起動させる。ＭＦ領域読出部１１０では、前記ＭＦ領域記憶部１０８から焦点距離調整領域の情報を読み出し、当該情報をＭＦ時ＥＶＦＬＣＤ表示制御部１１２へ送出する。
【００６９】
また、ＯＶＦ→ＶＦ表示切替指示部１０２では、このＡＦ／ＭＦ切替指示信号を受けると、ＭＦ時ＥＶＦＬＣＤ表示制御部１１２に対して、ＯＶＦ画像からＥＶＦ画像への切替（すなわち、ＥＶＦＬＣＤ４４をオンさせる）指示を送出すると共に、液晶シャッター開閉制御部１１４に対して、シャッター閉止指示（ここでは、一部閉止）を送出する。液晶シャッター開閉制御部１１４では、シャッター閉止指示に基づき、液晶シャッター４６を制御して、予め設定された領域（ここでは、画角の下半分の領域）を遮光する。
【００７０】
ＭＦ時ＥＶＦＬＣＤ表示制御部１１２では、ＥＶＦＬＣＤ４４のオンにより、撮像モード時の撮像に関する制御を司る、撮像モード制御部１１６を介して、前記ＭＦ領域読出部１１０で読み出した焦点距離調整領域の情報に基づいて、ＣＣＤ３０の撮像画像データを取得し、ＬＣＤＩ／Ｆ４２を介して、ＥＶＦＬＣＤ４４へ焦点距離調整領域の拡大画像を表示する。なお、本実施の形態では、液晶シャッター４６による閉止領域と同等の領域を表示領域として、それ以外は黒表示とする。この表示は、「ＭＦモード時の特別な表示状態」ということができる。
【００７１】
ここで、ＭＦモード時は、フォーカスリング２７を操作すると、この操作量が前記フォーカスリング操作量認識部１０４で認識され、認識された情報は、焦点距離調整部１１８へ送出される。
【００７２】
焦点距離調整部１１８は、鏡筒ドライバ３４を制御して、鏡筒１２（レンズ１２Ｌ）を光軸方向へ移動し、焦点距離を調整する。なお、このフォーカスリング２７のメカニカルな調整を、ダイレクトにレンズ１２Ｌの移動に伝達してもよい。
【００７３】
いずれにしても、フォーカスリング２７の操作によって調整された焦点距離は、ＣＣＤ３０の撮像画像（スルー画）に反映されることになる。この調整結果は、前記ＭＦ時ＥＶＦＬＣＤ表示制御部１１２により、半遮蔽されたシャッター面内の領域に重複するように表示されるＥＶＦＬＣＤ４４の表示画像（ＥＶＦ画像）で確認することができる。
【００７４】
前記操作部２８に接続された復帰条件要素受付部１０６は、前記撮像モード制御部１１６にも接続されており、前述した表１の復帰条件の要素が入力されるようになっている。
【００７５】
本実施の形態では、表１の８項目に優劣をつけておらず、かつ、何れかの項目の内、１つでも条件が成立することで、「ＭＦモード時の特別な表示状態」を解除するようになっている。
【００７６】
なお、復帰条件の要素は、表１の項目に限られるものではない。また、「複数の項目の成立」を復帰条件の成立としてもよい。或いは、項目に優劣をつけ、「必須項目を含む、複数の項目の成立」を復帰条件の成立としてもよい。
【００７７】
復帰条件要素受付部１０６は、条件成立／不成立判定部１２０に接続されている。この条件成立／不成立判定部１２０は、前記ＯＶＦ→ＥＶＦ表示切替指示部１０２からの信号に基づいて、有効（ＭＦモードへの移行指示信号）或いは無効（ＡＦモードへの移行指示信号）となる。
【００７８】
条件成立／不成立判定部１２０の有効状態（すなわち、ＭＦモード時）において、復帰条件要素受付部１０６で受け付けた復帰条件を判定した結果、復帰条件が成立すると、条件成立/不成立判定部１２０は、復帰指示部１２２を起動する。
【００７９】
復帰指示部１２２では、前記ＭＦ時ＥＶＦＬＣＤ表示制御部１１２へＥＶＦオフ信号、並びに前記液晶シャッター開閉制御部１１４へシャッター開放信号をそれぞれ出力し、接眼部１８の全領域を対象として、ＯＶＦ画像とするように指示する。
【００８０】
以下に本実施の形態の作用を説明する。
【００８１】
（通常の撮像／再生動作）
デジタルカメラ１０が、撮像モードに切り替えられている場合、鏡筒１２内のレンズ１２Ｌを介した撮像によってＣＣＤ３０から出力された被写体像を示す信号は順次アナログ信号処理部５４に入力されて相関二重サンプリング処理等のアナログ信号処理が施された後にＡＤＣ５６に入力され、ＡＤＣ５６は、アナログ信号処理部５４から入力されたＲ（赤）、Ｇ（緑）、Ｂ（青）の信号を各々８〜１２ビットのＲ、Ｇ、Ｂ信号（デジタル画像データ）に変換してデジタル信号処理部３０に出力する。
【００８２】
デジタル信号処理部６０は、ラインバッファにＡＤＣ５６から順次入力されるデジタル画像データを蓄積して一旦メモリ５８の所定領域に格納する。
【００８３】
メモリ５８の所定領域に格納されたデジタル画像データは、ＣＰＵ６６による制御下でデジタル信号処理部６０によって読み出され、これらに所定の物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号をメモリ５８の上記所定領域とは異なる領域に格納する。
【００８４】
なお、本実施の形態に係る背面ＬＣＤ２２は、ＣＣＤ３０による連続的な撮像によって得られた動画像（所謂「スルー画像」）を表示してファインダーとして使用することができるものとして構成されているが、このように背面ＬＣＤ２２をファインダーとして使用する場合には、生成したＹＣ信号（映像信号）を、ＬＣＤＩ／Ｆ６２を介して順次背面ＬＣＤ２２に出力する。これによって背面ＬＣＤ２２にスルー画像が表示されることになる。これは、ＥＶＦＬＣＤ４４においても同様である。
【００８５】
ここで、レリーズボタン１４がユーザによって半押し状態とされた場合、前述のようにＡＥ機能が働いて露出状態が設定された後、ＡＦ機能が働いて合焦制御され、その後、引き続き全押し状態とされた場合、この時点でメモリ５８に格納されているＹＣ信号を、圧縮・伸張処理回路６８によって所定の圧縮形式（本実施の形態では、ＪＰＥＧ形式）で圧縮した後に外部メモリＩ／Ｆ３８を介してメモリカード４０に記録することによって撮影が行われる。
【００８６】
一方、メモリカード４０（又はメモリ６６）に記憶された画像データは、背面ＬＣＤ２２（又は、ＥＶＦＬＣＤ４４）に表示させることができる。すなわち、デジタルカメラ１１を、撮像モードから再生モードに切り替えると、背面ＬＣＤ２２（ＥＶＦＬＣＤ４４）は、前述のようなスルー画像ではなく、既にメモリカード４０（又はメモリ６６）に記憶された画像データを読み出して表示する。この表示は背面ＬＣＤ２２（ＥＶＦＬＣＤ４４）の表示領域に１枚分の画像を表示することを基準として、２枚以上、或いは１枚の画像のトリミング画像を操作部２８の操作によって表示させることができる。
【００８７】
（表示制御）
図５は、マニュアルフォーカスを指定したときに起動し、接眼部１８へ表示する対象を制御のための流れを示すフローチャートである。
【００８８】
図５のステップ１５０では、液晶シャッター４６を一部又は全部閉止する。これにより、液晶シャッター４６が閉止された領域のＯＶＦ画像は接眼部１８へ至らず、ユーザーは、ＯＶＦ画像の一部又は全部を見ることができなくなる。
【００８９】
次のステップ１５２では、予め登録してある焦点距離調整領域を読み出し、次いで、ステップ１５４へ移行して、前記閉止したシャッター遮光面に対応して、焦点距離調整領域を拡大し、ＥＶＦＬＣＤ４４に表示する。この画像は、当然動画像（スルー画）である。
【００９０】
なお、前記ＥＶＦＬＣＤ４４におけるシャッター遮光面と対応しない領域は、非表示（黒色）とするのが好ましい。ＯＶＦ画像を見易くするためである。
【００９１】
次のステップ１５６では、フォーカスリング２７の操作があったか否かが判断され、肯定判定されると、ステップ１５８へ移行して、当該フォーカスリング２７の操作方向、操作量に基づいて鏡筒１２（レンズ１２Ｌ）を駆動し、焦点距離を調整する。この調整量は、ＣＣＤ３０で撮像するため、ＥＶＦＬＣＤ４４でスルー画として表示され、ユーザーは接眼部１８で焦点距離の調整状態を確認することができる。
【００９２】
ステップ１５８での鏡筒１２（レンズ１２Ｌ）の駆動がなされると、ステップ１５６へ戻り、さらに、フォーカスリング２７の操作されると、鏡筒１２（レンズ１２Ｌ）が駆動する。すなわち、フォーカスリング２７の操作に連動してリアルタイムに焦点距離が調整され、ユーザーは接眼部１８を覗きながら、当該焦点距離調整を行うことができる。
【００９３】
ここで、ステップ１５６で否定判定、すなわち、フォーカスリング２７の操作がない場合、ステップ１６０へ移行して、条件判定処理が実行される。この条件判定処理の詳細は後述する。
【００９４】
次のステップ１６２では、ステップ１６０での条件判定処理の結果、条件が成立しているか否かが判断される。なお、このステップ１６２では、ステップ１６０で設定されるフラグＦの状態を判定する（図６参照）。このステップ１６２で条件成立（Ｆ＝１）と判定されると、ステップ１６４へ移行して、ＥＶＦＬＣＤ４４の表示を終了（オフ）し、次いでステップ１６６へ移行して液晶シャッター４６を全開として、このルーチンは終了する。また、ステップ１６２で否定判定（Ｆ＝０）された場合は、ステップ１５６へ戻り、フォーカスリング２７の操作の有無を判定する。
【００９５】
図６は、図５のステップ１６０における条件判定処理の詳細を示したものである。
【００９６】
ステップ２００では、復帰条件の成立／不成立を示すフラグＦをリセット（０）し、次いでステップ２０２へ移行して、復帰条件の要素情報を受け付けたか否かが判断され、否定判定の場合は、このルーチンは終了する（Ｆ＝０の状態）。
【００９７】
また、ステップ２０２で肯定判定されると、ステップ２０４へ移行して受け付けた復帰条件の要素をそれぞれの判断の基準と照合する。
【００９８】
次のステップ２０６では、最終判定を実行する。この最終判定は、最も単純なのは、それぞれの復帰条件の要素の各項目（例えば、表１の項目１〜８）を、独立して復帰条件成立の可否とするものであるが、複数の復帰条件の要素を考慮して、復帰条件成立の可否を判定することも可能である。最終判定は、この復帰助受けの要素の各項目の取り扱いに基づいて、最終的に復帰条件成立／不成立を判定する。
【００９９】
以下に、復帰条件の要素の各項目の取り扱い（最終判定要件）を列挙する。
【０１００】
（最終判定要件１）→  各復帰条件の要素（表１の各項目）を独立し、何れか１つが成立すれば復帰条件成立とする。
【０１０１】
（最終判定要件２）→  各復帰条件の要素（表１の各項目）の内、少なくともＮ個（Ｎは２以上の整数）以上の条件が成立すれば復帰条件成立とする。
【０１０２】
（最終判定要件３）→  各復帰条件の要素（表１の各項目）の内、予め定めた重要要素であれば単独で復帰条件成立、それ以外は複数の要素が成立することで復帰条件成立とする。
【０１０３】
次のステップ２０８では、ステップ２０６での最終判定結果が復帰条件成立か否かが判断され、肯定判定されると、ステップ２１０へ移行してフラグＦをセット（１）して、このルーチンは終了する（Ｆ＝1の状態）。また、ステップ２０８で否定判定された場合は、復帰条件不成立と判断し、このルーチンは終了する（Ｆ＝０の状態）。
【０１０４】
図７は、上記図５（図６）のフローチャートに基づく、ＥＶＦＬＣＤ４４の表示制御を遷移を一例を示したものである。
【０１０５】
図７（Ａ）は、定常時（例えば、ＡＦモード時）における接眼部１８で見ることができる画像であり、ＯＶＦ画像である。なお、このＯＶＦ画像領域内に、鎖線で示した矩形枠１９があるが、この矩形枠１９は、予め登録されている焦点距離調整領域を示すものであり、実際の被写体の一部ではない。従って、ここに表示されていなくてもよいし、ＥＶＦＬＣＤ４４で表示するようにしてもよい。
【０１０６】
ここで、ＭＦモードへの移行の指示があると、図７（Ｂ）のように液晶シャッター４６が駆動して、ＯＶＦ画像の下半分が遮光される。その後、ＥＶＦＬＣＤ４４に、前記矩形枠１９で示す焦点距離調整領域の拡大画像を表示する（図７（Ｃ）、（Ｄ）参照）。
【０１０７】
図７（Ｃ）、（Ｄ）は、フォーカスリング２７によって焦点距離調整を行っているときのＥＶＦＬＣＤ４４の表示画像であり、例えば、ＭＦモード移行直後（図７（Ｃ）参照）は、若干ピンボケとなっており、これをフォーカスリング２７を操作することで焦点距離を調整する（図７（Ｄ）参照）。
【０１０８】
このような操作がなされている途中で、復帰条件が成立すると、図７（Ｅ）に示される如く、ＥＶＦＬＣＤ４４の画像がオフとなり、かつ液晶シャッター４６が全開となって、元のＯＶＦ画像に戻る。
【０１０９】
なお、本実施の形態では、ＭＦモードの移行時に、ＯＶＦ画像の一部を遮光して、ＥＶＦＬＣＤ４４の画像を表示したときの復帰に関して説明したが、撮影モードにおいて、ＭＦモード以外に、ＯＶＦ画像の一部又は全部を遮光して、ＥＶＦＬＣＤ４４の画像を表示する場合がある。
【０１１０】
例えば、ＥＶＦＬＣＤ４４の画像を一時的に表示する場合として、ＡＦ（オートフォーカス）処理や、露出補正、ホワイトバランス補正、暗部補正、色調補正、ダイナミックレンジ等、ＯＶＦ画像では補正状況がわからない各種補正処理がある。ＡＦ処理は、ユーザーが確認しなくても正確かつ確実に自動で焦点距離調整されるため、確認の必要がない場合もあるが、ユーザーによっては、ＡＦ後の状態を確認し、その後ＯＶＦ画像の見ながら撮影したい場合もある。このようなとき、レリーズボタン１４を半押ししてＡＦ処理が開始されると、ＥＶＦＬＣＤ４４の画像の表示に切り替わり、ＡＦ処理後に自動的にＯＶＦ画像に切り替わる（復帰する）ようにすればよい。
【０１１１】
このＡＦモードでの処理において、例えば、前述したＭＦモード時と同様に接眼部１８から見える画像の下半分をＡＦモードでの焦点調整領域を拡大して表示し、確実に自動焦点調整が完了しているか確認するようにしてもよい。これによれば、ＯＶＦ画像も同時に視野に入れることができ、撮影の画角がずれることがない。
【０１１２】
また、ライブビュー（スルー画）において、前記各種補正処理のために、一時的にＥＶＦＬＣＤ４４の画像を表示した場合も、その復帰トリガ（ＯＶＦ画像へ戻すきっかけ）が必要である。このような場合、補正処理終了後所定時間経過後等、表１に記載した復帰要件を利用すればよい。このとき、接眼部１８から見える画像を、ＥＶＦ画像の表示をＯＶＦ画像の表示とに分割してもよい。なお、補正処理は自動で実行される場合、ユーザーが手動で実行される場合を含む。
【符号の説明】
【０１１３】
１０    デジタルカメラ（撮像装置）
１２Ｌ    レンズ
１２    鏡筒
１４    レリーズボタン
１６    電源スイッチ
１８    接眼部
２０    対物レンズ
２２    背面ＬＣＤ
２４    モード切替スイッチ
２６    十字カーソルボタン
２２ＴＰ    タッチパネル
２７    フォーカスリング（焦点距離調整操作部）
２８    操作部
２９    矩形枠（焦点距離調整領域）
３０    ＣＣＤ
３２    メインコントローラ
３４    鏡筒駆動ドライバ
３６    ＬＣＤＩ／Ｆ
３８    外部メモリＩ／Ｆ
４０    メモリカード
４２    ＬＣＤＩ／Ｆ
４４    ＥＶＦＬＣＤ（表示部）
４６    液晶シャッター
４８    光路
５０    光路
５２    ハーフミラー
５４    アナログ信号処理部
５６    アナログ／デジタル変換器（ＡＤＣ）
５８    メモリ
６０    デジタル信号処理部
６２    ＬＣＤＩ／Ｆ
６４    ＬＣＤＩ／Ｆ
６６    ＣＰＵ
６８    圧縮・伸張処理回路
７０    システムバス
７２    タイミングジェネレータ
１００    ＭＦ領域登録処理部
１０２    ＯＶＦ→ＥＶＦ表示切替指示部
１０４    フォーカスリング操作量認識部
１０６    復帰条件要素受付部
１０８    ＭＦ領域記憶部
１１０    ＭＦ領域読出部
１１２    ＭＦ時ＥＶＦＬＣＤ表示制御部
１１４    液晶シャッター開閉制御部
１１６    撮像モード制御部
１１８    焦点距離調整部
１２０    条件成立／不成立判定部
１２２    復帰指示部
【図１】
2012063722.tif 000004
【図２】
2012063722.tif 000005
【図３】
2012063722.tif 000006
【図４】
2012063722.tif 000007
【図５】
2012063722.tif 000008
【図６】
2012063722.tif 000009
【図７】
2012063722.tif 000010